(57)【要約】      （修正有）【課題】構造が簡単で、小型、貼り付け作業が容易な入り隅及び目地幅の間隔の調整のためのマスキングテープ貼り付けの器具。【解決手段】  円盤状間仕切り板の中央部に左右両方向に形成し、かつ外周面にネジを形成した、テープホルダーを保持するための軸、マスキングテープを保持するための内輪と外輪からなるテープ用ホルダー、内輪には水平方向に貫通孔を設け、該貫通孔にはテープホルダー用軸の外周面に形成したネジに係合するネジを形成，該内輪の外周面の両端に外輪の脱落防止に鍔が付き、回転可能な外輪の外周面には、マスキングテープを固定保持するための帯状突起を有する、該テープホルダーをテープホルダー用軸にねじ込み回転をさせて、入り隅及び目地の間隔の調整をはかりマスキングテープを繰り出して貼り付けする。【選択図】図２
0003124746.tif 000002
【実用新案登録請求の範囲】
【請求項１】
間仕切り板、該間仕切り板の中央部に固定されると共に左右両方向に突出して形成され、かつ外周面にネジが形成されたマスキングテープ用ホルダーを保持するためのテープホルダー用軸。内輪及び外輪からなり、内輪には水平方向に貫通孔が設けられ、該貫通孔にはテープホルダー用軸の外周面に形成されたネジと係合するネジが形成され、該内輪の両側面には外輪の脱落を防止する鍔が設けられ、外輪は内輪の鍔の間に嵌合状態に、かつ外輪の外周面が内輪の鍔の外周面を超えるように配置されおり、そして外輪は回転が可能であり、該外輪の外周面にはマスキングテープテープを固定保持するために水平方向に突起が形成されているマスキングテープ用ホルダー。該間仕切り板及びテープホルダー用軸を一体に形成した容器本体、容器本体に延設されたマスキングテープの取り出し口を形成する上部繰り出し片及び下部繰り出し片とからなることを特徴とするマスキングテープ貼り付け器具。
【請求項２】
該容器本体の底面中央部前方に切り欠きを設けて、該間仕切り板を露出させ、露出された該間仕切り板に断面が凹状のスペーサーが嵌合されている、請求項１記載のマスキングテープ貼り付け器具。
【考案の詳細な説明】
【技術分野】
【０００１】
本考案は、建築工事での入り隅及び目地の隙間を埋めるコーキングに先立って、養生のためのマスキングテープあるいは養生テープを貼り付ける器具に関し、特に、入り隅及び目地の間隔を調整することができるマスキングテープ貼り付け器具に関する。
【背景技術】
【０００２】
特開平８−１２７４６０号公報には、マスキングテープのケースとは別体にガイド板を設けて、入り隅とマスキングテープとの間隔の調整をすることできるマスキングテープ貼り付け器具が提案されている。
また、特開２００４−２７８０２号公報には、マスキングテープの工具本体に、厚みが異なる複数個のコの字状目地幅調整板を被せて、入り隅とマスキングテープとの間隔を調整するマスキングテープ貼り付け器具が開示されている。
【０００３】
【特許文献１】特開平8−１２７４６０号公報
【特許文献２】特開２００４−２７８０２号公報
【考案の開示】
【考案が解決しようとする課題】
【０００４】
特開平８−１２７４６０号公報に記載のマスキングテープ貼り付け器具では、マスキングテープケースとは別体にガイド板が設けられており、入り隅とマスキングテープとの間隔を小さくすることが困難である。
特開２００４−２７８０２号公報に記載のマスキングテープ貼り付け器具においては、厚みが異なる複数個のコの字状目地幅調整板を別々に保管しなければならず、施工途中で紛失する恐れがある。
さらに、上記した二つの公報に記載されているマスキングテープ貼り付け器具は、図からも分るように、貼り付け器具の長さがマスキングテープの数倍にもなり、施工時の操作性に劣るという使用上の問題がある。
【０００５】
本考案は、上述した従来技術の持つ課題を解決するマスキングテープ貼り付け器具を提供する。
【課題を解決するための手段】
【０００６】
本考案によれば、間仕切り板、該間仕切り板の中央部に固定されると共に左右両方向に突出して形成され、かつ外周面にネジが形成されたマスキングテープ用ホルダーを保持するためのテープホルダー用軸。内輪及び外輪からなり、内輪には水平方向に貫通孔が設けられ、該貫通孔にはテープホルダー用軸の外周面に形成されたネジと係合するネジが形成され、該内輪の両側面には外輪の脱落を防止する鍔が設けられ、外輪は内輪の鍔の間に嵌合状態に、かつ外輪の外周面が内輪の鍔の外周面を超えるように配置されており、そして外輪は自由回転が可能であり、該外輪の外周面にはマスキングテープを固定保持するために水平方向に突起が形成されているマスキングテープ用ホルダー。該間仕切り板及びテープホルダー用軸と一体に形成された容器本体、容器本体に延設されたマスキングテープの取り出し口を形成する上部繰り出し片及び下部繰り出し片からなることを特徴とするマスキングテープ貼り付け器具が提供される。
【０００７】
さらに、本考案によれば、上記マスキングテープ貼り付け器具において容器本体の底面中央部前方に切り欠きを設けて間仕切り板を露出させ、露出された間仕切り板に断面が凹状のスペーサーが嵌合されている、マスキングテープ貼り付け器具が提供される。
【考案の効果】
【０００８】
本考案のマスキングテープ貼り付け器具においては、マスキングテープ用ホルダーを回転させるとテープホルダー用軸に沿ってマスキングテープ用ホルダーが左右に移動し、これにより、入り隅からのマスキングテープとの間隔及び目地幅の増減を図ることができる、その結果としてコーキング幅を増減させることができる。
【０００９】
本考案のマスキングテープ貼り付け器具は、前述した公報の貼り付け器具に比較して、構造が簡単であり、手のひらに収まるような小型にすることができ、マスキングテープの貼り付け作業が非常に容易かつ簡単となる。
【実施例】
【００１０】
以下に図面に示す実施例に基づいて本発明を説明する。
【００１１】
図１は本発明のテープ貼り付け器具１の側面図、図２は貼り付け器具１の内部の平面図、図３は底面図、図４はテープホルダーの収まりの詳細図、図５は器具１の底面にスペーサーを嵌号させた図である。
【００１２】
マスキングテープ貼り付け器具１の容器本体２には間仕切り板３が固定されている、即ち、間仕切り板３の外周面と容器本体２の内周面とが一体に固定されている。外周面にネジが形成されたテープホルダー用軸４A,4Bが間仕切り板３の中央部左右両方向に突出して形成される、容器本体２の横幅はテープホルダー用軸の先端部が容器本体２の側面から飛び出ない幅とする。
【００１３】
一対のマスキングテープ用ホルダー５A、5Bはそれぞれ内輪６A,6B、及び外輪７A,7Bから構成される、内輪６A,6Bの中央部には水平方向に貫通孔８A,８Bが設けられ、この貫通孔８A,８Bにはテープホルダー用軸４A,4Bの外周面に形成されたネジと係合するネジが形成されている、内輪６A,6Bの両側面には外輪７A,7Bの脱落を防止するための鍔９A-1,９A-2、９B-1、９B-2が設けられている。
【００１４】
外輪７Aは内輪６Aの鍔９A-1,９A-2の間に、外輪７Bは内輪６Bの鍔９B-1,９B-2の間にそれぞれ嵌合状態に、かつ外輪７A,7Bの外周面が内輪６Aの鍔９A-1,９A-2、内輪６Bの鍔９B-1,９B-2の外周面を超えるように配置されている、外輪７A,7Bは内輪６A,6Bに対して自由に回転可能である、外輪７A,7Bの外周面にはマスキングテープ１１A,１１Bを固定保持するために帯状の突起１０が複数個もうけられている。
【００１５】
容器本体２には、マスキングテープ１１A、１１Bの取り出し口１２を形成する上部繰り出し片１３及び下部繰り出し片１４が、一体に設けられている、下部繰り出し片１４は取り出し口１２から取り出したマスキングテープ１１A、１１Bの端部を仮止部としても機能する。
【００１６】
マスキングテープ用ホルダー５A,５Bはマスキングテープ１１A,１１Bを回転可能に保持すると共に、入り隅からの距離、あるいは目地幅に合わせてマスキングテープ１１A,１１Bの間隔を調整するために使用される、例えば入り隅とマスキングテープ１１A,１１Bの間隔を最小にしたい場合は、マスキングテープ用ホルダー５A,５Bを回転させて容器本体２の側面に移動させる，逆に上記の間隔を広げたいときにはマスキングテープ用ホルダー５A,５Bを回転させて間仕切り板３側に移動させる。
【００１７】
本考案においては、容器本体１の底面の中央部前方に、切り欠き１６を設けて露出された間仕切り板３に断面が凹状のスペーサー１５を嵌合させることができる、これによって本考案のマスキングテープ貼り付け器具１を、壁仕上げ材等の目地をコーキングする際のテープ貼り具としても使用することができる。
【００１８】
本考案のテープ貼り付け器具１を構成する各部材，例えば容器本体２、円盤状間仕切り板３等の材質については特別の制限はなく、合成樹脂、金属等を使用することができる。
【００１９】
本考案のマスキングテープ貼り付け器具１を使って、入り隅及び目地幅に合わせてマスキングテープ１１A,１１Bを貼り付け施工する際には、テープホルダー用軸４A,4Bにマスキングテープ用ホルダー５A,５Bをネジ込み、テープ用ホルダーの外輪にマスキングテープ１１A,１１Bを差込装着して後、マスキング用テープホルダー６A,6Bを回転させて、入り隅からと目地幅に合わせたマスキングテープ１１A,１１Bの間隔が所定値となるように調節する。
【図面の簡単な説明】
【００２０】
【図１】本発明のテープ貼り付け器具の側面図
【図２】図1内部の平面図
【図３】図1の底面図
【図４】テープホルダーを保持軸にネジ込んだ状態の図
【図５】図１底面にスペーサーを嵌合した図
【符号の説明】
【００２１】
（１）テープ貼り付け器具
（２）容器本体
（3）間仕切り板
（４）テープホルダー保持用軸
（５）テープ用ホルダー
（６）テープホルダー内輪
（７）テープホルダー外輪
（８）内輪貫通孔
（９）鍔
（１０）突起
（１１）マスキングテープ
（１２）テープ取り出し口
（１３）上部繰り出し片
（１４）下部繰り出し片
（１５）スペーサー
（１６）底面切り欠き
【図１】
0003124746.tif 000003
【図２】
0003124746.tif 000004
【図３】
0003124746.tif 000005
【図４】
0003124746.tif 000006
【図５】
0003124746.tif 000007
【手続補正書】
【提出日】平成18年4月13日(2006.4.13)
【手続補正１】
【補正対象書類名】実用新案登録請求の範囲
【補正対象項目名】全文
【補正方法】変更
【補正の内容】
【実用新案登録請求の範囲】
【請求項１】
間仕切り板、該間仕切り板の中央部に固定化して左右両方向に形成し、かつ外周面にネジを形成したマスキングテープ用ホルダーを保持するための軸、内輪及び外輪からなり、内輪には水平方向に貫通孔を設ける、該貫通孔にはテープホルダー用軸の外周面に形成したネジと係合するネジを形成する、該内輪の外周面の両端には外輪の脱落を防止するために鍔を設ける、外輪は内輪の鍔の間に嵌合状態に、かつ外輪の外周面が内輪の鍔の外周面を超えるように配置する、そして外輪は内輪に対して回転可能とし、該外輪の外周面の８角形の形状の突起部分とマスキングテープの内面と噛合して固定保持する、内輪と外輪からなるマスキングテープ用ホルダー、間仕切り板及びテープホルダー用軸を一体に形成した容器本体、容器本体に延設されたマスキングテープの取り出し口を形成する上部繰り出し片及び下部繰り出し片とからなることを特徴とするマスキングテープ貼り付け器具。
【請求項２】
容器本体の底面中央部前方に切り欠きを設けて、間仕切り板を露出させ、露出した間仕切り板に断面が凹状のスペーサーを嵌合させている、請求項１記載のマスキングテープ貼り付け器具。
【手続補正２】
【補正対象書類名】明細書
【補正対象項目名】０００６
【補正方法】変更
【補正の内容】
【０００６】
本考案によれば、間仕切り板、該間仕切り板の中央部に固定化して左右両方向に形成し、かつ外周面にネジを形成したマスキングテープ用ホルダーを保持するための軸、内輪及び外輪からなり、内輪には水平方向に貫通孔を設け、該貫通孔にはテープホルダー用軸の外周面に形成したネジと係合するネジを形成する、該内輪の外周面の両端には外輪の脱落を防止するための鍔を設ける、外輪は内輪の鍔の間に嵌合状態に、かつ外輪の外周面が内輪の外周面を超えるように配置する、そして外輪は内輪に対して回転可能とし、該外輪の外周面の８角形の形状の突起部分とマスキングテープの内面と噛合して固定保持する、内輪と外輪からなるマスキングテープ用ホルダー、間仕切り板及びテープホルダー用軸を一体に形成した容器本体、容器本体に延設されたマスキングテープの取り出し口を形成する上部繰り出し片及び下部繰り出し片とからなることを特徴とするマスキングテープ貼り付け器具が提供される。
【手続補正３】
【補正対象書類名】明細書
【補正対象項目名】０００７
【補正方法】変更
【補正の内容】
【０００７】
さらに、本考案によれば、上記マスキングテープ貼り付け器具において容器本体の底面中央部前方に切り欠きを設けて間仕切り板を露出させ、露出させた間仕切り板に断面が凹状のスペーサーを嵌合させている、マスキングテープ貼り付け器具が提供される。
【手続補正４】
【補正対象書類名】明細書
【補正対象項目名】００１３
【補正方法】変更
【補正の内容】
【００１３】
一対のマスキングテープ用ホルダー５A,5Bはそれぞれ内輪６A,6B及び外輪７A,7Bから構成される、内輪６A,6Bの中央部には水平方向に貫通孔８A,8Bを設ける、この貫通孔８A,8Bにはテープホルダー用軸４A,4Bの外周面に形成したネジと係合するネジを形成する、内輪６A,6Bの外周面の両端には外輪７A,7Bの脱落を防止するために鍔９A−１、９A−２、９B−１,９B−２を設けている。
【手続補正５】
【補正対象書類名】明細書
【補正対象項目名】００１４
【補正方法】変更
【補正の内容】
【００１４】
外輪７Aは内輪６Aの鍔９A―1,９A―2の間に、外輪７Bは内輪６Bの鍔９B―1,９B―2の間にそれぞれ嵌合状態に、かつ外輪７A,7Bの外周面が内輪６A,の鍔９A−１，９A−２、内輪６Bの鍔９B−１，９B−２の外周面を超えるように配置する、外輪7A, ７Bは内輪６A,６Bに対し自由に回転可能である、外輪７A,７Bの外周面はマスキングテープ１１A,１１Bを噛合固定保持ために8角形の形状とする。
【手続補正６】
【補正対象書類名】図面
【補正対象項目名】図１
【補正方法】変更
【補正の内容】
【図１】
0003124746.tif 000008